(57)【要約】【課題】遮音性能と吸音性能のバランスをとられた車両用防音部材を提供する。【解決手段】デカップリング層と質量層とが重ねられた車両用防音部材であって、質量層は、所定範囲の不均一な大きさの樹脂を含む部材が接着された樹脂含有層と、樹脂含有層のデカップリング層側に接着された不織布と、開孔部を備え、不織布の前記デカップリング層側に接着された通気層とを有することを特徴とする。樹脂含有層と不織布とは、樹脂が溶融することによって接着されていてもよい。また、樹脂含有層が、加熱成形された樹脂繊維層が細断された後に、さらに加熱されることによって接着されたものであってもよい。【選択図】図１
2020196339.tif 000002
【特許請求の範囲】
【請求項１】
デカップリング層と質量層とが重ねられた車両用防音部材であって、
前記質量層は、
所定範囲の不均一な大きさの樹脂を含む部材が接着された樹脂含有層と、
前記樹脂含有層の前記デカップリング層側に接着された不織布と、
開孔部を備え、前記不織布の前記デカップリング層側に接着された通気層と
を有することを特徴とする車両用防音部材。
【請求項２】
前記樹脂含有層と前記不織布とは、
樹脂が溶融することによって接着されていること
を特徴とする請求項１に記載の車両用防音部材。
【請求項３】
前記樹脂含有層は、
加熱成形された樹脂繊維層が細断された後に、さらに加熱されることによって接着されたものであること
を特徴とする請求項１又は２記載の車両用防音部材。
【発明の詳細な説明】
【技術分野】
【０００１】
本発明は、車両用防音部材に関する。
【背景技術】
【０００２】
自動車等の車両においては、遮音材を使用して車両内の防音を行う技術が知られている。遮音材を形成する場合には、単純な動解析モデルとして、ばねと質量によりモデル化されたばねマス（質量）モデルを用いられることが多い。例えば、質量層を作製するためにフェルトや不織布を用い、ばね層（デカップリング層）をポリウレタンフォームによって形成した自動車用遮音トリム部品は公知である（例えば特許文献１参照）。
【先行技術文献】
【特許文献】
【０００３】
【特許文献１】特許第５７６９７３８号公報
【発明の概要】
【発明が解決しようとする課題】
【０００４】
しかしながら、従来は、質量層に用いられるフェルトや不織布と、ばね層を形成するポリウレタンフォームとの間に、空気が不侵透であるバリア層が必要とされていた。すなわち、従来の質量層は、フェルトや不織布と、不侵透であるバリア層との組み合わせによってのみ構成されており、遮音性能が高められる代わりに、吸音性能を効率的に付与することができないという問題があった。
【０００５】
本発明は、上記に鑑みてなされたものであって、遮音性能と吸音性能のバランスをとられた車両用防音部材を提供することを目的とする。
【課題を解決するための手段】
【０００６】
上述した課題を解決し、目的を達成するために、本発明の一態様にかかる車両用防音部材は、デカップリング層と質量層とが重ねられた車両用防音部材であって、前記質量層は、所定範囲の不均一な大きさの樹脂を含む部材が接着された樹脂含有層と、前記樹脂含有層の前記デカップリング層側に接着された不織布と、開孔部を備え、前記不織布の前記デカップリング層側に接着された通気層とを有することを特徴とする。
【０００７】
また、本発明の一態様にかかる車両用防音部材は、前記樹脂含有層と前記不織布とは、樹脂が溶融することによって接着されていることを特徴とする。
【０００８】
また、本発明の一態様にかかる車両用防音部材は、前記樹脂含有層が、加熱成形された樹脂繊維層が細断された後に、さらに加熱されることによって接着されたものであることを特徴とする。
【図面の簡単な説明】
【０００９】
【図１】一実施形態にかかる車両用防音部材の断面を模式的に示す図である。
【図２】車両用防音部材に用いられる不織布及び通気層の特性例を示す図である。
【図３】車両用防音部材が車室内に取り付けられる位置を例示する図である。
【発明を実施するための形態】
【００１０】
以下に、車両用防音部材の一実施形態を、図面を用いて説明する。図１は、一実施形態にかかる車両用防音部材１の断面を模式的に示す図である。図１に示すように、車両用防音部材１は、少なくとも樹脂含有層２、不織布３、通気層４及びデカップリング層５が積層されることによって構成される。車両用防音部材１は、例えば自動車内のダッシュインシュレータなどとして用いられる。
【００１１】
樹脂含有層２は、所定範囲の不均一な大きさの樹脂を含む部材が接着された部材である。例えば、樹脂含有層２は、１５ｍｍ以下、より好ましくは１２ｍｍ以下の不均一な大きさの樹脂を含む部材が加熱等によって接着されることによって形成される。
【００１２】
より具体的には、樹脂含有層２は、ＰＥＴ（ポリエチレンテレフタレート）によって形成された不織布が細断等によって所定範囲の不均一な大きさにされた後に、加熱等によって接着される。また、樹脂含有層２は、ＰＥ（ポリエチレン）雑綿等の樹脂を含んでいてもよく、ＰＥが溶融することによって接着性を高められていてもよい。
【００１３】
また、樹脂含有層２は、加熱成形された樹脂繊維層が細断された後に、さらに加熱されることによって接着されたものであってもよい。すなわち、樹脂含有層２は、ＰＥＴ等によって形成された不織布をリサイクル使用することによって形成されるものであってもよい。
【００１４】
また、樹脂含有層２のなかにＰＥＴ（ポリエチレンテレフタレート）やＰＥ（ポリエチレン）以外の天然繊維等を含む他の繊維材を混入させてもよい。
【００１５】
不織布３は、樹脂含有層２のデカップリング層側に接着されている。例えば、不織布３は、表面にパウダー状のＰＥ系接着剤を予め付着されて、他の部材に対する接着性を高められていてもよい。また、不織布３は、樹脂含有層２に含まれる樹脂の溶融によって樹脂含有層２に接着されるものでもよい。
【００１６】
通気層４は、複数の開孔部４０を備えたフィルム状の部材であり、不織布３のデカップリング層５側に接着されている。通気層４は、開孔部４０の大きさ及び数が設定されることにより、通気量を所定値に設定可能とされている。
【００１７】
そして、樹脂含有層２、不織布３及び通気層４は、車両用防音部材１における質量層として機能する。また、樹脂含有層２は、図１に示すように、両面が不織布３によって覆われた構成であってもよい。両面を不織布で覆うことにより、樹脂含有層２を所定の厚さに成形する際に型に端材が付着することなく安定して成形ができる。
【００１８】
この場合、車両用防音部材１における質量層は、不織布３、樹脂含有層２、不織布３及び通気層４が積層された構成となる。また、樹脂含有層２は、袋状に形成された不織布３に収容されるように構成されていてもよい。
【００１９】
デカップリング層５は、例えばフェルト又はウレタン等によって構成され、上述したばね層として機能する。
【００２０】
次に、車両用防音部材１の特性について説明する。図２は、車両用防音部材１に用いられる不織布３及び通気層４の特性例を示す図である。車両用防音部材１は、不織布３及び通気層４が形成される条件によって通気抵抗が制御される。ここでは、不織布３の密度、通気層４における開孔部４０の開口径及び接着材量の組合せを変えることによる通気抵抗の変化を示している。
【００２１】
なお、サンプルＮｏ．２，３は、比較例として、通気層４が存在しない場合の通気抵抗を示している。また、サンプルＮｏ．１は、比較例として、不織布３が存在しない場合の通気抵抗を示している。サンプルＮｏ．３〜８は、実施例としての通気抵抗を示している。
【００２２】
本願における発明者は、図２に示したように、不織布３又は通気層４のいずれかが存在しない場合の通気抵抗に対し、不織布３及び通気層４が接着された場合には、通気抵抗が大幅に高くなることを見出した。例えば、不織布３のみの通気抵抗３０Ｎｓ／ｍ３と、サンプルＮｏ．２の通気層４のみの通気抵抗４１０Ｎｓ／ｍ３との和が５００Ｎｓ／ｍ３未満であるのに対し、不織布３及びサンプルＮｏ．２の通気層４が接着された場合には３０００Ｎｓ／ｍ３以上となっており、通気抵抗が桁違いに大きくなっている。また、同様にサンプルＮｏ．３の通気層４が接着されても通気抵抗が桁違いに大きくなっている。
【００２３】
また、車両用防音部材１は、ＰＥＴからなる不織布が細断後に接着されることにより樹脂含有層２が形成された場合のように、通気がランダムに制限されるため、樹脂含有層２による通気抵抗が大きい。よって、通気層４が設けられていても、質量層による通気が抑えられることにより所定の遮音特性を得ることができる。
【００２４】
一方で、車両用防音部材１は、質量層による通気が零ではないため、通気層４の設定等により所定の吸音特性を得ることができる。また、車両用防音部材１は、通気層４が設けられることによってデカップリング層５による吸音も生じ得る。
【００２５】
このように、車両用防音部材１は、設定に応じて通気を完全には遮断しないため、遮音性能と吸音性能のバランスをとることができるように構成されている。すなわち、車両用防音部材１は、遮音性能を維持しつつ、吸音性能を向上させられて遮音性能と吸音性能のバランスをとられている。
【００２６】
図３は、車両用防音部材１が車室内に取り付けられる位置を例示する図である。例えば、図１に示した車両用防音部材１は、前部座席５０、後部座席５２及びダッシュボード５４が配置されている車室内の乗車空間と、エンジンルームなどとの間に設けられたダッシュインシュレータとして用いられる。
【符号の説明】
【００２７】
１・・・車両用防音部材、２・・・樹脂含有層、３・・・不織布、４・・・通気層、５・・・デカップリング層
【図１】
2020196339.tif 000003
【図２】
2020196339.tif 000004
【図３】
2020196339.tif 000005